(57)【特許請求の範囲】
【請求項１】
（ａ）紙幣を集積する集積部と、
（ｂ）集積された紙幣を結束する単一の結束部とを有し、
（ｃ）投入された紙幣を１枚ずつ分離搬送して、紙幣の真偽、金種、正損及び表裏の方向の鑑別を行うとともに計数し、
（ｄ）真券と鑑別された紙幣を前記集積部に所定枚数集積するとともに最上位の紙幣を任意に選択された向きにして集積し、
（ｅ）集積された紙幣を前記結束部に送り、テープで結束して放出する紙幣整理装置であって、
（ｆ）前記集積部は複数であり、１つの集積部に集積済みの紙幣の枚数が前記所定枚数より１枚少ない場合、次の紙幣が前記選択された向きであるか否かを判断し、前記選択された向きであるときには、前記次の紙幣を当該集積部に集積済みの紙幣の上に集積し、前記選択された向きでないときには前記次の紙幣を他の集積部に集積することを特徴とする紙幣整理装置。
【請求項２】
前記集積部は４つ以上であり、２つの集積部には正券を集積し、他の２つの集積部には損券を集積することによって、正券及び損券を分別して集積する請求項１に記載の紙幣整理装置。
【請求項３】
前記集積部は４つ以上であり、２つの集積部には１つの金種の紙幣を集積し、他の２つの集積部には他の金種の紙幣を集積することによって、紙幣を金種に応じて分別して集積する請求項１に記載の紙幣整理装置。
【発明の詳細な説明】
【技術分野】
【０００１】
本発明は、紙幣整理装置に関するものである。
【背景技術】
【０００２】
従来、銀行、信用金庫、郵便局、消費者金融会社等の金融機関の支店等には、精査時等に回収した紙幣の真偽を鑑別し、前記紙幣の金種を鑑別し、前記紙幣を一定の枚数集積して、結束機構によって結束する紙幣整理装置が配設されている（例えば、特許文献１〜３参照。）。そして、前記紙幣整理装置は、紙幣の裏表及び天地を揃（そろ）えて結束することができるようになっている。
【特許文献１】特開２００２−１９７５０９号公報
【特許文献２】特開２００２−１３７８６２号公報
【特許文献３】特許第２８４５６１９号公報
【発明の開示】
【発明が解決しようとする課題】
【０００３】
しかしながら、前記従来の紙幣整理装置においては、結束機構に対して紙幣を集積する方向を変更することができなかった。一般に、紙幣の表には人物像が印刷されているところ、このような人物の多くは紙幣の発行国において畏敬されているので、結束用テープが人物像にかかるように紙幣を結束することを忌避する傾向が強い。しかし、前記紙幣整理装置においては、紙幣の表裏及び天地を揃えることはできても、紙幣を集積する方向を変更したり選択したりすることができないので、結束用テープが人物像にかかるように紙幣が結束されることが避けられない。
【０００４】
本発明は、前記従来の紙幣整理装置の問題点を解決して、集積された紙幣の最上位に位置する紙幣の向きを任意に選択することができるようにして、結束用のテープが最上位の紙幣の所定の部位にのみかかるように結束することができる紙幣整理装置を提供することを目的とする。
【課題を解決するための手段】
【０００５】
そのために、本発明の紙幣整理装置においては、紙幣を集積する集積部と、集積された紙幣を結束する単一の結束部とを有し、投入された紙幣を１枚ずつ分離搬送して、紙幣の真偽、金種、正損及び表裏の方向の鑑別を行うとともに計数し、真券と鑑別された紙幣を前記集積部に所定枚数集積するとともに最上位の紙幣を任意に選択された向きにして集積し、集積された紙幣を前記結束部に送り、テープで結束して放出する紙幣整理装置であって、前記集積部は複数であり、１つの集積部に集積済みの紙幣の枚数が前記所定枚数より１枚少ない場合、次の紙幣が前記選択された向きであるか否かを判断し、前記選択された向きであるときには、前記次の紙幣を当該集積部に集積済みの紙幣の上に集積し、前記選択された向きでないときには前記次の紙幣を他の集積部に集積する。
【０００８】
本発明の更に他の紙幣整理装置においては、さらに、前記集積部は４つ以上であり、２つの集積部には正券を集積し、他の２つの集積部には損券を集積することによって、正券及び損券を分別して集積する。
【０００９】
本発明の更に他の紙幣整理装置においては、さらに、前記集積部は４つ以上であり、２つの集積部には１つの金種の紙幣を集積し、他の２つの集積部には他の金種の紙幣を集積することによって、紙幣を金種に応じて分別して集積する。
【発明の効果】
【００１０】
本発明によれば、紙幣整理装置においては、集積された紙幣の最上位に位置する紙幣の向きを任意に選択することができるようになっている。これにより、結束用のテープが最上位の紙幣の所定の部位にのみかかるように結束することができるので、例えば、紙幣の人物像に結束用のテープがかかることを確実に防止することができる。
【発明を実施するための最良の形態】
【００１１】
以下、本発明の実施の形態について図面を参照しながら詳細に説明する。
【００１２】
図１は本発明の実施の形態における紙幣整理装置の内部構造を示す概略側面図、図２は本発明の実施の形態における紙幣整理装置の上部の拡大図、図３は本発明の実施の形態における紙幣整理装置の外観を示す斜視図、図４は本発明の実施の形態における紙幣整理装置の一部分拡大平面図である。
【００１３】
図において、１００は本実施の形態における紙幣整理装置であって、例えば、銀行、信用金庫、郵便局、消費者金融会社等の金融機関の支店、本店等の営業店に配設され、精査時等に回収した紙幣の真偽を鑑別し、前記紙幣の金種を鑑別し、前記紙幣を一定の枚数集積して、結束するようになっている。
【００１４】
そして、１は紙幣の投入部であり、紙幣整理装置１００正面の上部に設けられている。２は紙幣の真偽、金種、正損、表裏等の鑑別及び計数を行うとともに、搬送異常の検出を行う鑑別部であり、紙幣整理装置１００内に設けられている。３は紙幣の搬送路であり、該搬送路３については後で説明する。４は紙幣の表裏反転を行う表裏反転部であり、紙幣整理装置１００内の鑑別部２の後段に位置するように設けられている。
【００１５】
５は結束対象外の金種の紙幣を集積するオープンポケットであり、紙幣整理装置１００の上面に設けられている。また、前記オープンポケット５に集積された紙幣は、オペレータが直接アクセスすることができる。６は集積機構であり、該集積機構６には縦一列に４つの集積部としての一時集積部６ａ〜６ｄが並べて配設されている。そして、一時集積部６ａ〜６ｄの各々に、あらかじめ定められた枚数、例えば、１００枚の紙幣を集積することができるようになっている。なお、前記一時集積部６ａ〜６ｄの数は、４つに限定するものでなく、３つ以上であれば、いくつであってもよい。
【００１６】
７は前記投入部１の一側に設けられた操作部であり、該操作部７には紙幣の計数を指示する計数開始ボタン７ａ、紙幣整理装置１００の障害復旧時に紙幣整理装置１００を再稼働させるためのリセットボタン７ｂ、並びに、係数及び結束処理の完了を指示する完了ボタン７ｃが配設されている。
【００１７】
８は、鑑別部２で金種不明と鑑別されたり、又は、搬送異常が検知されたりしたリジェクト紙幣を集積するリジェクトポケットである。該リジェクトポケット８は、前記投入部１の上方に設けられ、前記リジェクトポケット８に集積された紙幣にオペレータが直接アクセスすることができるものとなっている。９は移送機構であり、１０は結束部としての紙幣結束機構であり、両者とも紙幣整理装置１００内に設けられている。この両者については後で説明する。
【００１８】
そして、１１は紙幣束の放出口であり、１２は紙幣整理装置１００正面に設けられた扉である。該扉１２を開けることでオペレータは集積機構６にアクセスすることができる。１３は、紙幣整理装置１００上面においてオープンポケット５の後方に位置するように設けられた操作表示部であり、ＬＣＤ（Ｌｉｑｕｉｄ  Ｃｒｙｓｔａｌ  Ｄｉｓｐｌａｙ）とその表面に配置したタッチパネルとを有する。オペレータは、前記操作表示部１３を操作して、モードの指定や、一時集積部６ａ〜６ｄに集積する紙幣の金種、集積順序等の設定を行う。また、前記操作表示部１３には、鑑別部２で鑑別された紙幣の金種、正損、計数結果等の表示も行われる。
【００１９】
ここで、搬送路３について説明する。図２に示されるように、紙幣整理装置１００内の上部において、前記搬送路３は３ａ〜３ｅから成る。搬送路３ａは投入部１から鑑別部２を経て分岐点Ａに至るように設けられ、搬送路３ｂは分岐点Ａからリジェクトポケット８に至るように設けられている。また、搬送路３ｃは、分岐点Ａから表裏反転部４を経て分岐点Ｂに至るように設けられている。そして、搬送路３ｄは、分岐点Ｂから、図１に示されるように、紙幣整理装置１００の下部に延在し、集積機構６の一時集積部６ａ〜６ｄに沿うように設けられている。さらに、搬送路３ｅは、分岐点Ｂからオープンポケット５に至るように設けられている。なお、分岐点Ａ及びＢのそれぞれの近傍には、紙幣の搬送方向を切り替える図示されない切替えブレードが設けられている。該切替えブレードの動作は、後述される制御部５０によって制御される。
【００２０】
次に、前記集積機構６について詳細に説明する。
【００２１】
図５は本発明の実施の形態における集積機構の側面図である。
【００２２】
図に示されるように、集積機構６には、４つの一時集積部６ａ〜６ｄが上下方向に並べて配置されている。前記一時集積部６ａ〜６ｄは同一の構造を有しているので、以下に一時集積部６ａを例に取って説明する。
【００２３】
まず、前記搬送路３ｄによって搬送されてきた紙幣は、一時集積部６ａの振分けゲート２７により集積板２１に向かって取り込まれる。そして、一時集積部６ａに進入した紙幣は、叩（たた）き車２０によって後部が叩かれ、集積板２１の上に集積される。また、以降進入する紙幣も、同様の動作で、既に集積板２１上に集積した紙幣の上に集積される。なお、２３は短手整位機構であり、２４は押さえ板である。
【００２４】
次に、前記構成の一時集積部６ａについて詳細に説明する。
【００２５】
図６は本発明の実施の形態における一時集積部の詳細を示す斜視図である。
【００２６】
一時集積部６ａに進入した紙幣は、前記叩き車２０によって後部が叩かれるだけでなく、一時集積部６ａの一側に設けられた長手整位機構２２によって長手方向の位置が揃えられ、さらに、一時集積部６ａの前端側に設けられた短手整位機構２３によって短手方向の位置が揃えられる。
【００２７】
ここで、長手整位機構２２は、正逆両方向への回転が可能なモータ２２ａと、該モータ２２ａに連結部材２２ｂを介して連結された棒又は板状等の整位部材２２ｃとを備える。そして、進入してくる紙幣を検知する図示されない進入センサの検知信号のタイミングに基づき、モータ２２ａが駆動して整位部材２２ｃを回動させることによって、紙幣を反対側に設置された基準面２５に押し付けることで整位する。
【００２８】
また、前記短手整位機構２３は、図示されないトーションスプリング等の付勢手段によって付勢された棒状部材により構成され、集積された紙幣を進入口側に付勢することにより整位する。そして、前記集積板２１上に紙幣が集積してゆき、その集積高さが図示されない高さセンサによって基準値を超えたことが検知されると、集積板２１は自動的に下降して一時集積部６ａの空間を広げる。この動作により、皺（しわ）や折り目などの紙幣の状態に起因して紙幣の集積高さが変化しても、安定して集積を行うことができる。
【００２９】
そして、集積板２１の上方には押さえ板２４が対向するように設けられている。該押さえ板２４は、集積板２１上への紙幣の集積中は一時集積部６ａの上端に待機しており、順次取り込まれる紙幣の進入の邪魔にならないようになっている。一時集積部６ａの集積板２１上にあらかじめ定められた枚数の紙幣、例えば、１００枚の紙幣が集積されると、振分けゲート２７が紙幣を取り込まない姿勢となり、１０１枚目以降の紙幣は一時集積部６ｂ〜６ｄのいずれかへ搬送されて集積される。
【００３０】
紙幣の進入が停止した一時集積部６ａでは、集積板２１を上昇させ、押さえ板２４を下降させることによって紙幣を挟持する。この動作により、皺や折り目などの紙幣の状態に起因して変化する紙幣の集積高さを一定にし、移送機構９への受け渡しを容易にする。また、集積板２１と押さえ板２４とによって挟持された紙幣は、短手整位機構２３側から一時集積部６ａに進入する移送機構９の後述されるクランプ部３０により、引き抜かれる。なお、他の一時集積部６ｂ〜６ｄも、一時集積部６ａと同様の構造を有するので、一時集積部６ａと同様に、紙幣を整位、集積及び挟持することが可能である。
【００３１】
次に、前記移送機構９について詳細に説明する。
【００３２】
図７は本発明の実施の形態における移送機構を示す斜視図である。
【００３３】
移送機構９は、クランプ部３０、クランプ部移動手段３１及び上下動手段３２を備えている。前記クランプ部３０は、上下方向に開閉するクランプ爪（つめ）３５ａ及び３５ｂを有し、クランプ部移動手段３１上に搭載されている。一時集積部６ａ〜６ｄから紙幣を引き抜くときは、クランプ部移動手段３１がクランプ部３０を一時集積部６ａ〜６ｄに対して押し出し、クランプ爪３５ａ及び３５ｂが１００枚の紙幣をクランプすることができる位置にまで、クランプ部３０を移動させるようになっている。
【００３４】
前記クランプ部３０及びクランプ部移動手段３１は、上下動手段３２によって一時集積部６ａ〜６ｄ間を一体的に上昇及び下降し、紙幣１００枚の集積が完了した一時集積部６ａ〜６ｂのいずれか１つの前で停止するように制御される。そのため、上下動手段３２のフレームには、一時集積部６ａ〜６ｄのそれぞれの位置に対応してポジションセンサ３３ａ〜３３ｄが配設されている。そして、例えば、一時集積部６ａに集積された紙幣を抜き取るときは、ポジションセンサ３３ａの位置まで、上下動手段３２によってクランプ部移動手段３１が引き上げられる。
【００３５】
また、該引き上げられたクランプ部移動手段３１は、クランプ部３０が紙幣を一時集積部６ａから抜き取る間、ポジションセンサ３３ａの位置に固定される必要がある。そこで、回転可能なストッパカム３４が、ポジションセンサ３３ａの位置で停止したクランプ部移動手段３１に係止し、該クランプ部移動手段３１の落下を防止する。
【００３６】
次に、前記移送機構９の一連の動作について説明する。
【００３７】
例えば、一時集積部６ａに集積された紙幣を引き抜く場合、まず、上下動手段３２は、クランプ部３０を、クランプ部移動手段３１とともに、ポジションセンサ３３ａの位置まで上昇させ、ポジションセンサ３３ａがクランプ部移動手段３１を検知した位置で上昇を停止させる。クランプ部３０が停止すると同時に、ストッパカム３４が回転してクランプ部移動手段３１を係止する。これにより、該クランプ部移動手段３１が一時集積部６ａと対応する位置に固定される。
【００３８】
この状態で、クランプ部移動手段３１は、クランプ部３０のクランプ爪３５ａ及び３５ｂを上下方向に開いて１００枚の紙幣をクランプする準備を行う。続いて、クランプ部移動手段３１は、クランプ部３０を一時集積部６ａの方向に押し出す。押し出されたクランプ部３０のクランプ爪３５ａ及び３５ｂは、一時集積部６ａの短手整位機構２３側に設けられている開口部から挿入されて一時集積部６ａに進入し、集積板２１と押さえ板２４とによって挟持されている紙幣を、上下から挟み付けて把持する。
【００３９】
次に、一時集積部６ａでは、集積板２１を下降させ、押さえ板２４を上昇させることによって紙幣の挟持を解除する。これにより、１００枚の紙幣がクランプ部３０に渡されたことになるので、クランプ部移動手段３１は、クランプ爪３５ａ及び３５ｂで紙幣を把持したクランプ部３０を引き戻す。このとき、クランプ爪３５ａ及び３５ｂに把持された紙幣は一時集積部６ａの短手整位機構２３に当接するが、そのままクランプ部３０を引き戻すと、短手整位機構２３は、紙幣の押圧力によって付勢手段に抗して整位方向と逆の方向に倒れる。これにより、紙幣は一時集積部６ａからスムーズに抜き取られる。
【００４０】
そして、クランプ部３０が元の位置まで引き戻されると、ストッパカム３４が回転し、クランプ部移動手段３１の係止を解除する。続いて、紙幣を把持したクランプ部３０とともに、クランプ部移動手段３１が上下動手段３２によって移動経路の最下端に位置する紙幣結束機構１０まで移動する。そして、クランプ部３０のクランプ爪３５ａ及び３５ｂに把持された紙幣は、紙幣結束機構１０に引き渡される。
【００４１】
次に、該紙幣結束機構１０について詳細に説明する。
【００４２】
図８は本発明の実施の形態における紙幣結束機構の側面図である。
【００４３】
紙幣結束機構１０は、ローラ、ベルト等から成る搬送手段４０と、紙テープ等の結束用のテープ４１と、インクリボンを介してテープ４１に印字する印字手段４２と、テープ４１を供給するテープ供給手段４３と、テープ４１を所定の長さに切断するカッター４４と、図示されない結束手段とを備えており、次のように紙幣を結束する。
【００４４】
まず、搬送手段４０は、移送機構９のクランプ部３０から１００枚の紙幣を一括して受け取り、結束位置に搬送する。続いて、テープ供給手段４３は、テープ４１を結束手段に供給する。その際、印字手段４２は、結束する紙幣の金種等をテープ４１に印字する。続いて、印字されたテープ４１は、カッター４４によって所定の長さに切断される。そして、結束手段は、結束位置に搬送された１００枚の紙幣に、切断されたテープ４１を巻き掛けて結束し、紙幣束を作成する。このようにして作成された紙幣束は、さらに、搬送手段４０によって搬送され、放出口１１に送られる。
【００４５】
次に、前記紙幣整理装置１００の制御系について説明する。
【００４６】
図９は本発明の実施の形態における紙幣の計数に係わる制御系のブロック図である。
【００４７】
図において、５０は紙幣整理装置１００全体の動作及び処理の制御を行う制御部であり、５１ａ〜５１ｄはカウンタである。該カウンタ５１ａ〜５１ｄの各々は、一時集積部６ａ〜６ｄの各々に１対１で対応する。すなわち、一時集積部６ａに集積された紙幣の枚数はカウンタ５１ａによってカウントされ、一時集積部６ｂに集積された紙幣の枚数はカウンタ５ｌｂによってカウントされ、一時集積部６ｃに集積された紙幣の枚数はカウンタ５１ｃによってカウントされ、一時集積部６ｄに集積された紙幣の枚数はカウンタ５１ｄによってカウントされる。また、５２は記憶部であり、一時集積部６ａ〜６ｄに集積された紙幣の金種や、計数された金種毎の紙幣の枚数等を記憶する。
【００４８】
次に、前記構成の紙幣整理装置１００の動作について説明する。
【００４９】
図１０は本発明の実施の形態における表裏が揃えられた紙幣を示す図、図１１は本発明の実施の形態における紙幣整理装置の人物像上結束禁止モードの動作を示すフローチャートである。なお、図１０において、（ａ）は矢印の方向に搬送されている状態を示し、（ｂ）は結束された状態を示し、（ａ−１）及び（ｂ−１）は表上（ＦＦ）券を示し、（ａ−２）及び（ｂ−２）は表下（ＦＲ）券を示している。
【００５０】
紙幣整理装置１００の電源が投入されると、操作表示部１３に初期画面が表示され、オペレータは、初期画面において、紙幣整理装置１００の動作のモードを指定する。本実施の形態においては、あらかじめ、人物像上結束禁止モードが設定されており、オペレータが操作表示部１３に表示される初期画面において、人物像上結束禁止モードを指定した場合の動作について説明する。
【００５１】
この場合、投入口１から投入された紙幣は、鑑別部２に搬送される。該鑑別部２は、紙幣の鑑別を行い、当該紙幣はリジェクト対象であるか否か、及び、結束対象であるか否かを判断する。
【００５２】
すなわち、鑑別部２によって、紙幣の真偽、表裏、正損等の鑑別、計数、及び、搬送異常の有無の検出が行われる。その結果、偽又は金種不明と鑑別された紙幣、及び、重送等の搬送異常が検出された紙幣は、リジェクト対象であるとしてリジェクト紙幣とされ、搬送路３ｂによってリジェクトポケット８に搬送されて集積される。また、結束対象外の紙幣は、搬送路３ｃ及び３ｅによってオープンポケット５に搬送されて集積される。
【００５３】
一方、真正な紙幣、搬送異常のない紙幣等のようなリジェクト対象外の紙幣であって、かつ、結束対象の紙幣は、正損の鑑別結果に関わらず、搬送路３ｃによって表裏反転部４に搬送され、該表裏反転部４によって表裏が揃えられる。この結果、図１０（ａ）に示されるように、２種類の紙幣が搬送路３ｄによって集積機構６に搬送される。
【００５４】
ここでは、図１０（ａ−１）に示されるように、表面が上を向いて搬送方向前方に下端を向けて搬送される紙幣を表上券（ＦＦ券）と称し、図１０（ａ−２）に示されるように、表面が上を向いて搬送方向前方に上端を向けて搬送される紙幣を表下券（ＦＲ券）と称することとする。
【００５５】
紙幣結束機構１０は、紙幣整理装置１００正面から向かって左側に配置されているため、このままの状態で集積した場合、図１０（ｂ−２）に示されるように、一番上、すなわち、最上位の紙幣がＦＲ券のときは、結束用のテープ４１が人物像のない面にかかるように結束し、図１０（ｂ−１）に示されるように、最上位の紙幣がＦＦ券のときは結束用のテープ４１が人物像の上にかかるように結束することになる。
【００５６】
そこで、本実施の形態においては、鑑別部２を紙幣が通過した際に、紙幣の向きがどちらになっているか、制御部５０で把握していることを利用し、集積機構６に搬送された紙幣が正券の場合、無条件で正券用集積部としての一時集積部６ａに集積させる。そして、９９枚まで一時集積部６ａに集積させる。すなわち、９９枚集積済みとなるまで一時集積部６ａに集積させる。
【００５７】
９９枚集積済みとなった場合、鑑別部２は、次の紙幣、すなわち、１００枚目の紙幣がＦＲ券であるか否かを判断する。そして、ＦＲ券であれば、そのまま一時集積部６ａに集積させる。続いて、集積された１００枚の紙幣は、紙幣結束機構１０に引き渡されて結束される。この場合、集積された紙幣の最上位に位置する紙幣がＦＲ券なので、図１０（ｂ−２）に示されるように、結束用のテープ４１が人物像にかかることがない。
【００５８】
また、１００枚目の紙幣がＦＲ券でなく、ＦＦ券であれば、他の正券用集積部としての一時集積部６ｂに集積させる。この場合、ＦＲ券が集積機構６に搬送されるまで、この動作、すなわち、一時集積部６ｂに集積させる動作を繰り返す。そして、ＦＲ券が集積機構６に搬送されると、当該紙幣を１００枚目の紙幣として一時集積部６ａに集積させる。続いて、集積された１００枚の紙幣は、紙幣結束機構１０に引き渡されて結束される。この場合、集積された紙幣の最上位に位置する紙幣がＦＲ券なので、図１０（ｂ−２）に示されるように、結束用のテープ４１が人物像にかかることがない。
【００５９】
その後に集積機構６に搬送される紙幣は、既に何枚かの紙幣が一時集積部６ｂに集積されているので、引き続き一時集積部６ｂに集積される。そして、一時集積部６ａに集積させた場合と同様に、９９枚までは無条件で一時集積部６ｂに集積させる。そして、１００枚目の紙幣がＦＲ券であれば、そのまま一時集積部６ｂに集積させ、集積された１００枚の紙幣は、紙幣結束機構１０に引き渡されて結束される。また、１００枚目の紙幣がＦＦ券であれば、元の一時集積部６ａが空であるので、該一時集積部６ａに集積させる。そして、ＦＲ券が集積機構６に搬送されるまで、一時集積部６ａに集積させる動作を継続し、ＦＲ券が集積機構６に搬送されると、当該紙幣を１００枚目の紙幣として一時集積部６ｂに集積させる。集積された１００枚の紙幣は、紙幣結束機構１０に引き渡されて結束される。
【００６０】
また、集積機構６に搬送された紙幣が正券でなく損券の場合、一時集積部６ｃ及び６ｄに集積する。以降の動作は、紙幣が正券の場合に一時集積部６ａ及び６ｂに集積した動作と同様であるので、その説明を省略する。
【００６１】
この結果、集積された紙幣の最上位に位置する紙幣は常にＦＲ券となり、紙幣の所定の部位、すなわち、人物像のない部位にのみテープ４１がかかるように結束することが可能となる。
【００６２】
次に、フローチャートについて説明する。
ステップＳ１  鑑別部２は紙幣の鑑別を行う。
ステップＳ２  紙幣がリジェクト対象であるか否かを判断する。紙幣がリジェクト対象でなければステップＳ３に進み、紙幣がリジェクト対象であればステップＳ１７に進む。
ステップＳ３  紙幣が結束対象であるか否かを判断する。紙幣が結束対象であればステップＳ４に進み、紙幣が結束対象でなければステップＳ１８に進む。
ステップＳ４  紙幣は集積機構６に搬送される。
ステップＳ５  紙幣が正券であるか否かを判断する。紙幣が正券であればステップＳ６に進み、紙幣が正券でなく損券であればステップＳ１２に進む。
ステップＳ６  紙幣は正券用集積部としての一時集積部６ａに集積される。
ステップＳ７  紙幣が９９枚集積済みであるか否かを判断する。紙幣が９９枚集積済みであればステップＳ８に進み、紙幣が９９枚集積済みでなければステップＳ６に戻る。
ステップＳ８  次の紙幣がＦＲ券であるか否かを判断する。次の紙幣がＦＲ券であればステップＳ９に進み、次の紙幣がＦＲ券でなければステップＳ１１に進む。
ステップＳ９  紙幣は正券用集積部としての一時集積部６ａにそのまま集積される。
ステップＳ１０  集積された紙幣は、紙幣結束機構１０に引き渡されて結束され、処理を終了する。
ステップＳ１１  紙幣は他の正券用集積部としての一時集積部６ｂに集積され、ステップＳ８に戻る。
ステップＳ１２  紙幣は損券用集積部としての一時集積部６ｃに集積される。
ステップＳ１３  紙幣が９９枚集積済みであるか否かを判断する。紙幣が９９枚集積済みであればステップＳ１４に進み、紙幣が９９枚集積済みでなければステップＳ１２に戻る。
ステップＳ１４  次の紙幣がＦＲ券であるか否かを判断する。次の紙幣がＦＲ券であればステップＳ１５に進み、次の紙幣がＦＲ券でなければステップＳ１６に進む。
ステップＳ１５  紙幣は損正券用集積部としての一時集積部６ｃにそのまま集積される。
ステップＳ１６  紙幣は他の損券用集積部としての一時集積部６ｄに集積され、ステップＳ１４に戻る。
ステップＳ１７  リジェクト対象の紙幣は、リジェクトポケット８に集積され、処理を終了する。
ステップＳ１８  結束対象でない紙幣は、オープンポケット５に集積され、処理を終了する。
【００６３】
このように、本実施の形態においては、紙幣の正損の鑑別を実施しながら、かつ、結束対象となる１００枚の紙幣の最上位の紙幣を結束機構に対し任意の方向に集積することができる。そのため、例えば、顧客の要求によって、結束用のテープ４１が紙幣に印刷されている人物像にかかることがないように、紙幣を結束することが可能となる。
【００６４】
なお、本実施の形態において、紙幣の正損の鑑別を同時に実施する例について説明したが、正損の鑑別を実施せずに、単純に紙幣整理だけを実施する場合にも適用することができる。
【００６５】
また、１金種だけの例について説明したが、多金種の場合であっても、集積部が複数あれば実施することができる。
【００６６】
さらに、集積部が１つであり、また、オープンポケットが１つという簡易な構成の機械であっても、９９枚までは自由に集積部に紙幣を集積し、１００枚目の紙幣が当該紙幣以外の紙幣は、オープンポケットに搬送し、当該紙幣が搬送されてきた場合は、集積部に搬送するようにすれば実現可能である。
【００６７】
なお、本発明は前記実施の形態に限定されるものではなく、本発明の趣旨に基づいて種々変形させることが可能であり、それらを本発明の範囲から排除するものではない。
【図面の簡単な説明】
【００６８】
【図１】本発明の実施の形態における紙幣整理装置の内部構造を示す概略側面図である。
【図２】本発明の実施の形態における紙幣整理装置の上部の拡大図である。
【図３】本発明の実施の形態における紙幣整理装置の外観を示す斜視図である。
【図４】本発明の実施の形態における紙幣整理装置の一部分拡大平面図である。
【図５】本発明の実施の形態における集積機構の側面図である。
【図６】本発明の実施の形態における一時集積部の詳細を示す斜視図である。
【図７】本発明の実施の形態における移送機構を示す斜視図である。
【図８】本発明の実施の形態における紙幣結束機構の側面図である。
【図９】本発明の実施の形態における紙幣の計数に係わる制御系のブロック図である。
【図１０】本発明の実施の形態における表裏が揃えられた紙幣を示す図である。
【図１１】本発明の実施の形態における紙幣整理装置の人物像上結束禁止モードの動作を示すフローチャートである。
【符号の説明】
【００６９】
６ａ、６ｂ、６ｃ、６ｄ    一時集積部
１０    紙幣結束機構
４１    テープ
１００    紙幣整理装置
【図１】
0005076765.tif 000002
【図２】
0005076765.tif 000003
【図３】
0005076765.tif 000004
【図４】
0005076765.tif 000005
【図５】
0005076765.tif 000006
【図６】
0005076765.tif 000007
【図７】
0005076765.tif 000008
【図８】
0005076765.tif 000009
【図９】
0005076765.tif 000010
【図１０】
0005076765.tif 000011
【図１１】
0005076765.tif 000012